(57)【要約】【課題】蝋表面の装飾品による装飾を可能にすること。【解決手段】本発明は、１つの局面において、アンカー部材と、該アンカー部材を含む蝋部分とを備えた製品であって、該アンカー部材は固形物固定端部を有し、該端部は該蝋部分の表面に露出し、かつ固形物が固定されるように構成された製品を提供する。１つの実施形態において、上記製品は電子蝋燭をさらに含み、上記蝋部分は該電子蝋燭の少なくとも一部を覆うように構成される。【選択図】図１
2016042439.tif 000002
【特許請求の範囲】
【請求項１】
アンカー部材と、
該アンカー部材を含む蝋部分と
を備えた製品であって、
該アンカー部材は固形物固定端部を有し、
該端部は該蝋部分の表面に露出し、かつ固形物が固定されるように構成された
製品。
【請求項２】
電子蝋燭をさらに含み、前記蝋部分が該電子蝋燭の少なくとも一部を覆うように構成された請求項１に記載の製品。
【請求項３】
前記アンカー部材が前記電子蝋燭と一体成形された請求項２に記載の製品。
【請求項４】
前記アンカー部材が前記電子蝋燭と別個に形成された請求項２に記載の製品。
【請求項５】
前記アンカー部材が支持部分をさらに備える請求項４に記載の製品。
【請求項６】
前記支持部分が前記電子蝋燭に固定された請求項５に記載の製品。
【請求項７】
前記支持部分が前記蝋部分に固定された請求項５に記載の製品。
【請求項８】
前記端部に固定された固形物をさらに含む請求項１〜７のいずれか１項に記載の製品。
【請求項９】
前記固定が接着である請求項８に記載の製品。
【請求項１０】
前記固形物の少なくとも一部が前記蝋部分の表面と接触している請求項９に記載の製品。
【請求項１１】
前記固形物がクリスタルガラスである請求項１〜１０のいずれか１項に記載の製品。
【発明の詳細な説明】
【技術分野】
【０００１】
本発明は、蝋部分に固定されたアンカー部材を含む製品に関し、より具体的には蝋部分のアンカー部材に装飾品が固定された人工蝋燭に関する。
【背景技術】
【０００２】
蝋は加工の容易さから種々の用途に用いられるが、近年は鑑賞用に用いられる蝋製品が増えている。特に、鑑賞用蝋燭として、実際には火を用いない電子蝋燭（特開平９−７４１１）が開発され、その周囲を蝋で覆って現実の蝋燭のように見せる蝋製品が市販されている。
【０００３】
しかしながら、蝋には、表面に固形物を接着することができないという特性があり、鑑賞用蝋燭などの鑑賞用蝋製品の表面に装飾品による装飾を施すことが困難である。現在は、着色した蝋を混ぜ合わせることにより、色彩の装飾を施すにとどまっている（特開２０１０−１９５９２８号）。
【先行技術文献】
【特許文献】
【０００４】
【特許文献１】特開平９−７４１１号公報
【特許文献２】特開２０１０−１９５９２８号公報
【発明の概要】
【発明が解決しようとする課題】
【０００５】
したがって、本発明は、蝋表面の装飾品による装飾を可能にすることを課題とする。
【課題を解決するための手段】
【０００６】
本発明者らは、鋭意研究の結果、アンカー部材に装飾品を固定することによって、あたかも蝋表面に装飾品が固定されたかのように見せることができることを発見し、本発明を完成した。
【０００７】
１つの局面において、本発明は、
アンカー部材と、
該アンカー部材を含む蝋部分と
を備えた製品であって、
該アンカー部材は固形物固定端部を有し、
該端部は該蝋部分の表面に露出し、かつ固形物が固定されるように構成された製品
を提供する。
【０００８】
１つの実施形態において、上記製品は電子蝋燭をさらに含み、上記蝋部分は該電子蝋燭の少なくとも一部を覆うように構成される。
【０００９】
１つの実施形態において、上記アンカー部材は上記電子蝋燭と一体成形される。
【００１０】
別の実施形態において、上記アンカー部材は上記電子蝋燭と別個に形成される。
【００１１】
別の実施形態において、上記アンカー部材は支持部分をさらに備える。
【００１２】
別の実施形態において、上記支持部分は上記電子蝋燭に固定される。
【００１３】
別の実施形態において、上記支持部分は上記蝋部分に固定される。
【００１４】
１つの実施形態において、上記製品は、上記端部に固定された固形物をさらに含む。
【００１５】
１つの実施形態において、上記固定は接着である。
【００１６】
１つの実施形態において、上記固形物の少なくとも一部が上記蝋部分の表面と接触している。
【００１７】
１つの実施形態において、上記固形物はクリスタルガラスである。
【発明の効果】
【００１８】
本発明によれば、アンカー部材に装飾品を固定することによって、あたかも蝋表面に装飾品が固定されたかのように見える蝋製品が提供される。本発明によって、鑑賞用蝋製品の装飾品による装飾が可能となる。
【図面の簡単な説明】
【００１９】
【図１】図１は、本発明の蝋製品の斜視図を示す。図１（ａ）は固形物が固定されていない状態の蝋製品を示し、図１（ｂ）は固形物が固定された状態の蝋製品を示す。
【図２ａ】図２（ａ）はアンカー部材が電子蝋燭と一体成形された実施形態を示す。
【図２ｂ】図２（ｂ）はアンカー部材が電子蝋燭に固定された実施形態を示す。
【図２ｃ】図２（ｃ）はアンカー部材が蝋部分に固定された実施形態を示す。
【図３】図３は、本発明の蝋製品の一例の斜視図を示す。
【発明を実施するための形態】
【００２０】
以下に本発明を、必要に応じて、添付の図面を参照して例示の実施例により説明する。本明細書の全体にわたり、単数形の表現は、特に言及しない限り、その複数形の概念をも含むことが理解されるべきである。また、本明細書において使用される用語は、特に言及しない限り、当該分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００２１】
以下に提供される実施形態は、本発明のよりよい理解のために提供されるものであり、本発明の範囲は以下の記載に限定されるべきではない。本明細書中の記載を参酌して、本発明の範囲内で適宜改変を行なうことができることは、当業者に明らかである。
【００２２】
本発明によれば、アンカー部材に装飾品を固定することによって、あたかも蝋表面に装飾品が固定されたかのように見える蝋製品が提供される。本発明によって、鑑賞用蝋製品の装飾品による装飾が可能となる。
【００２３】
本明細書において、「製品」とは、少なくとも一部に蝋を含む任意の製品をいう。代表的な実施形態では、本発明の製品は鑑賞用蝋製品であり、より具体的には蝋で少なくとも部分的に表面を覆われた電子蝋燭である。
【００２４】
本明細書において、「蝋」とは、常温（約２５℃）では固体である低融点（約５０℃〜約９０℃）の任意の有機物をいう。本発明の蝋は、植物由来、動物由来、鉱物由来、石油由来の任意の蝋であり得る。本発明の蝋としては、具体的には蜜蝋、鯨蝋、木蝋、モンタンワックス、パラフィンワックスなどが挙げられるが、これらに限定されない。なお、  本明細書における「約」とは、後に続く数字の±１０％の範囲内をいう。
【００２５】
本明細書において、「電子蝋燭」とは、蝋燭の炎を模した光を電子的に発する任意の蝋燭様装置をいう。具体的には、電子蝋燭は炎のシルエット要素と光源とを有する。光源としては、ＬＥＤ、蛍光灯、白熱灯などが利用され得る。電子蝋燭は、液晶を用いることによって、または、制御回路により複数の光源を制御することによって、または、電磁場によって炎のシルエットを揺動することによって、実際の蝋燭の炎の明暗の変化や揺らぎを再現し得る。好ましい実施形態において、本発明における電子蝋燭は、少なくとも部分的に蝋部分によって覆われる。この蝋部分の厚さは、外観が本物の蝋製の蝋燭に見えるような任意の厚さであるが、好ましくは少なくとも約４ｍｍ以上であり、より好ましくは約５ｍｍ以上である。
【００２６】
本明細書において、「アンカー部材」とは、少なくとも固形物固定端部を有し、かつその端部が蝋部分の表面に露出するように構成された任意の部材をいう。本発明のアンカー部材は、金属、合成樹脂、木材など任意の材質のものであり得る。ただし、本発明のアンカー部材は蝋から形成されたものではない。本発明のアンカー部材は、蝋部分とは別個の部材（例えば、電子蝋燭）と一体成形されてもよいし、独立した部材であってもよい。
【００２７】
本明細書において、アンカー部材の「固形物固定端部」とは、蝋部分表面に露出し、かつ固形物が固定され得る任意の材質、形状およびサイズであり得る。好ましくは、本発明の固形物固定端部は、固形物の固定のための固定面を有する。また、本発明の固形物固定端部は、固形物が固定された後には、もはや外部からは視認できないような形状およびサイズであるのが好ましい。好ましい実施形態において、支持部分は、該固形物固定端部に固定された固形物があたかも蝋部分に固定されたように見えるような形状およびサイズを有する。なお、「蝋部分の表面に露出」とは、固形物固定端部が蝋部分表面上に面一に形成されている構成も、蝋部分表面から突出している構成も、いずれの構成も含む。
【００２８】
アンカー部材が蝋とは別個の部材と一体成形される実施形態においては、本発明のアンカー部材は、蝋に覆われたかまたは蝋の中に含まれた別個の部材（例えば、電子蝋燭）からの突出部（例えば、電子蝋燭の筐体の突出部）であり得る。なお、固形物固定端部が蝋表面に露出してさえいれば、突出部の形状は任意の形状であり得る。
【００２９】
アンカー部材が独立した部材である実施形態においては、本発明のアンカー部材の一端は支持部分を、他端は固形物固定端部を構成する。支持部分は、別個の部材（例えば、電子蝋燭）に固定されてもよいし、蝋部分内に固定されてもよい。
【００３０】
支持部分が電子蝋燭に固定される場合、支持部分と電子蝋燭との固定は、係合、嵌合、螺合、接着などの任意の手段によって達成され得る。支持部分と電子蝋燭との固定によりアンカー部材が定位置に保持され、それによってアンカー部材の他端に固定された固形物も定位置に保持される。固定部分は電子蝋燭の筐体に固定され得る任意の形状であり得る。支持部分の電子蝋燭への固定は、電子蝋燭が蝋で覆われる前に行われてもよいし、電子蝋燭が蝋で覆われた後に行われてもよい。
【００３１】
支持部分を蝋部分に固定する場合、支持部分を、蝋部分が固形化した後に蝋部分に挿入して固定してもよいし、蝋部分が液体状態のときに蝋部分に挿入し、その後蝋部分を固形化することによって固定してもよい。代表的には、支持部分は、蝋部分が固形化した後に蝋部分に挿入される。支持部分が固形化した蝋部分に挿入される実施形態では、支持部分は、固形化した蝋部分への挿入に適した任意の形状を有し、好ましくはねじ切りされている。蝋部分が液体状態のときに挿入し、その後蝋部分を固形化する実施形態では、支持部分は、蝋部分内での固定に適した形状を有し、例えばＴ字状、Ｌ字状、錨形などの形状を有し得る。支持部分と蝋部分との固定により、アンカー部材が定位置に保持され、それによってアンカー部材の他端に固定された固形物も定位置に保持される。
【００３２】
本明細書において、「固形物」とは、アンカー部材の固形物固定端部に接着され得、かつ一定の形状を有する任意の物質をいう。本発明の固形物は、任意のクリスタルガラス、宝石、布地、編地、金属等の装飾品であり得るがこれらに限定されない。本発明の固形物の大きさは任意であるが、一般には一辺が約１０ｍｍの立方体に収まる程度の大きさである。典型的には、一辺が約５ｍｍの立方体に収まる程度の大きさ（例えば直径約１ｍｍ〜約３ｍｍ程度のクリスタルガラス）である。本発明の固形物は、アンカー部材の固形物固定端部よりも大きいサイズを有することが好ましい。本発明の好ましい実施形態において、固形物はクリスタルガラスである。
【００３３】
本明細書において、固形物の支持部分への固定は、係合、嵌合、螺合、接着などの任意の手段によって達成され得る。好ましい実施形態においては、固形物の支持部分への固定は、接着によって達成される。
【００３４】
本発明における接着のための接着剤は、アンカー部材および固形物の材質や形状に基づいて、当業者によって適切に選択され得る。本発明において使用される接着剤は、蝋部分の軟化温度以下の温度で硬化して接着機能を発揮する任意の接着剤であり得る。本発明の接着剤としては、例えば、エポキシ系接着剤、シアノ系接着剤、アクリル系接着剤、ウレタン系接着剤、シリコーン系接着剤、変性シリコーン系接着剤、エマルジョン系接着剤、天然ゴム系接着剤などが挙げられるが、これらに限定されない。本発明における好ましい接着剤は、エポキシ系接着剤またはシアノ系接着剤である。
【００３５】
１つの固形物が１つのアンカー部材に固定されてもよいし、複数の固形物が１つのアンカー部材に固定されてもよいし、１つの固形物が複数のアンカー部材に固定されてもよい。
【００３６】
（好ましい実施形態）
以下、図面を参照して、蝋で覆われた電子蝋燭製品を例に本発明の好ましい実施形態を説明する。
【００３７】
図１は、製品１００の斜視図を示す。図１（ａ）は、固形物が固定されていない状態の製品１００を示し、図１（ｂ）は、固形物が固定された状態の製品１００を示す。
【００３８】
図１に示されるように、製品１００においては、蝋部分１１０が電子蝋燭１２０を覆い、蝋部分１１０の表面上にアンカー部材の固形物固定端部（他端面）１３１が露出している。蝋部分１１０によって電子蝋燭１２０が覆われることにより、製品１００は本物の蝋燭のような外観および質感を有する。
【００３９】
図１（ｂ）に示されるように、製品１００において、アンカー部材の端面１３１上に固形物１４０（例えば、クリスタルガラス）が固定（好ましくは、接着）される。なお、図１（ｂ）においては１つの固形物が１つの支持部分に固定される状態を例示したが、複数の固形物が１つのアンカー部材端面に固定されてもよいし、１つの固形物が複数のアンカー部材端面に固定されてもよい。
【００４０】
図１（ｂ）に示すように、固形物１４０を端面１３１に固定することによって、その端面１３１はもはや外部から視認できなくなり、あたかも固形物１４０が蝋部分１１０に固定されたかのように見える。
【００４１】
図２は、製品１００の断面図を示す。図２（ａ）は、アンカー部材１３０が電子蝋燭１２０と一体成形された実施形態を示し、図２（ｂ）は、アンカー部材１３０が電子蝋燭１２０に固定された実施形態を示し、図２（ｃ）は、アンカー部材１３０が蝋部分１１０内に固定された実施形態を示す。なお、電子蝋燭１２０の内部機構は省略する。図２（ａ）〜（ｃ）から、アンカー部材１３０が蝋部分１１０の表面上に露出した端面１３１を有する様子をより明確に理解することができる。
【００４２】
一実施形態において、図２（ａ）に示されるように、アンカー部材１３０は、電子蝋燭１２０と一体成形される。この実施形態では、アンカー部材１３０は、電子蝋燭１２０の筐体の突出部であり、この突出部が電子蝋燭１２０から蝋部分１１０の表面まで延びることによって、アンカー部材１３０を形成する。
【００４３】
アンカー部材１２０が電子蝋燭１２０とは別個に形成される実施形態を、図２（ｂ）および図２（ｃ）に示す。これらの実施形態では、アンカー部材１３０は、端面１３１に加えて、支持部分１３２を有する。
【００４４】
図２（ｂ）の実施形態では、アンカー部材１３０の支持部分１３２は電子蝋燭１２０に固定される。  図２（ｃ）の実施形態では、アンカー部材１３０は蝋部分１１０内に固定される。なお、図２（ｂ）および図２（ｃ）においてはアンカー部材１３０を円柱形状にしたが、この形状に限定されない。
【００４５】
図１および図２には複数のアンカー部材を例示したが、アンカー部材の具体的な数および位置がこれに限定されるわけではなく、アンカー部材の数および位置は用途に合わせて適宜決定され得る。
【００４６】
図３は、アンカー部材に装飾品を固定することによって、あたかも蝋部分表面に装飾品が固定されたように見える本発明の蝋製品の一例の斜視図を示す。この蝋製品では、電子蝋燭を覆う蝋部分に孔を開け、アンカー部材を挿入してシアノ系接着剤で固定し、蝋部分の表面に露出したアクリル製アンカー部材の支持部分に、装飾品としてクリスタルガラスおよびレース生地を、シアノ系接着剤によって接着した。装飾品が電子蝋燭の蝋表面に固定されたように見え、電子蝋燭の装飾が達成されたことが図３から示された。
【００４７】
（他の実施形態）
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００４８】
本発明は、鑑賞用蝋製品、特に電子蝋燭において利用され得る。
【符号の説明】
【００４９】
１００  製品
１１０  蝋部分
１２０  電子蝋燭
１３０  アンカー部材
１３１  固形物固定端
１３２  支持部分
１４０  固形物
【図１】
2016042439.tif 000003
【図２ａ】
2016042439.tif 000004
【図２ｂ】
2016042439.tif 000005
【図２ｃ】
2016042439.tif 000006
【図３】
2016042439.tif 000007